(57)【要約】【課題】周波数特性の変動の有無に応じた被測定信号の変調誤差比を測定する。【解決手段】波形処理部８は、複数の波形補正情報生成手段３１、選択手段３２、波形補正手段３３を備える。各波形補正情報生成手段３１（３１Ａ，３１Ｂ）は、ＯＦＤＭ復調手段７で抽出されたサブキャリアの波形補正を行うための各々異なる波形補正情報を生成する。波形補正情報は、指定周波数範囲内での振幅の可変の有無、指定周波数範囲内での位相の可変の有無などの情報として生成される。選択手段３２は、複数の波形補正情報生成手段３１Ａ，３１Ｂのうちの何れか一つを選択する。波形補正手段３３は、選択手段３２により選択された波形補正情報生成手段３１からの波形補正情報に基づいてＯＦＤＭ復調手段７で抽出されたサブキャリアを波形補正して区分け手段９に送出する。【選択図】      図２
2004343630.tif 000002
【特許請求の範囲】
【請求項１】
連続した所定数のサブキャリアを含む複数のサブキャリア群からなる被測定信号（ａ）を中間周波数信号（ｂ）に変換し、この中間周波数信号を直交復調したデジタルのベースバンド信号として出力する信号変換手段（３）と、
該信号変換手段から出力されたベースバンド信号からＯＦＤＭ変調のシンボルタイミングを抽出するシンボルタイミング抽出手段（６）と、
該シンボルタイミング抽出手段で抽出されたシンボルタイミングを用いて前記ベースバンド信号に対して、高速フーリエ変換処理することにより、前記被測定信号の全てのサブキャリアを抽出するＯＦＤＭ復調手段（７）と、
該ＯＦＤＭ復調手段で抽出された各サブキャリアの波形補正を行うためのそれぞれ異なる波形補正情報を生成する複数の波形補正情報生成手段（３１）と、
該複数の波形補正情報生成手段のうちの何れか一つを選択する選択手段（３２）と、
該選択手段により選択された波形補正情報生成手段からの波形補正情報に基づいて前記ＯＦＤＭ復調手段で抽出された各サブキャリアを波形補正する波形補正手段（３３）と、
該波形補正手段で補正された各サブキャリアをサブキャリア群毎に区分けする区分け手段（９）と、
該区分け手段により区分けされた前記サブキャリア群毎のサブキャリアを該当サブキャリア群の位相変調方式に対応する復調方式で復調して測定コンスタレーションを得る復調手段（１０）と、
該復調手段で復調された測定コンスタレーションから理論的コンスタレーションを推定する推定手段（１１）と、
前記復調された測定コンスタレーションと前記推定された理論的コンスタレーションとの誤差分を算出する誤差算出手段（１２）と、
該誤差算出手段で算出された各サブキャリア群のの各誤差分と該当サブキャリア群の理論的コンスタレーションとの電力比を算出し、各サブキャリア群毎に該電力比を変調誤差比として算出する変調誤差比算出手段（１３）とを備えたことを特徴とする変調誤差比測定装置。
【請求項２】
連続した所定数のサブキャリアを含む複数のサブキャリア群からなる被測定信号（ａ）を中間周波数信号（ｂ）に変換し、この中間周波数信号を直交復調したデジタルのベースバンド信号として出力する信号変換手段（３）と、
該信号変換手段から出力されたベースバンド信号からＯＦＤＭ変調のシンボルタイミングを抽出するシンボルタイミング抽出手段（６）と、
該シンボルタイミング抽出手段で抽出されたシンボルタイミングを用いて前記ベースバンド信号に対して、高速フーリエ変換処理することにより、前記被測定信号の全てのサブキャリアを抽出するＯＦＤＭ復調手段（７）と、
該ＯＦＤＭ復調手段で抽出された全てのサブキャリアを記憶する記憶手段（３４）と、
前記ＯＦＤＭ復調手段で抽出された各サブキャリアの波形補正を行うためのそれぞれ異なる波形補正情報を生成する複数の波形補正情報生成手段（３１）と、
該複数の波形補正情報生成手段のうちの何れか一つを選択する選択手段（３２）と、
該選択手段により選択された波形補正情報生成手段からの波形補正情報に基づいて前記記憶手段に記憶された各サブキャリアを波形補正する波形補正手段（３３）と、
該波形補正手段で補正された各サブキャリアをサブキャリア群毎に区分けする区分け手段（９）と、
該区分け手段により区分けされた前記サブキャリア群毎のサブキャリアを該当サブキャリア群の位相変調方式に対応する復調方式で復調して測定コンスタレーションを得る復調手段（１０）と、
該復調手段で復調された測定コンスタレーションから理論的コンスタレーションを推定する推定手段（１１）と、
前記復調された測定コンスタレーションと前記推定された理論的コンスタレーションとの誤差分を算出する誤差算出手段（１２）と、
該誤差算出手段で算出された各サブキャリア群のの各誤差分と該当サブキャリア群の理論的コンスタレーションとの電力比を算出し、各サブキャリア群毎に該電力比を変調誤差比として算出する変調誤差比算出手段（１３）とを備えたことを特徴とする変調誤差比測定装置。
【請求項３】
前記複数の波形補正情報生成手段（３１）と、前記選択手段（３２）と、前記波形補正手段（３３）とを複数組備えたことを特徴とする請求項１又は２記載の変調誤差比測定装置。
【請求項４】
前記選択手段（３２）は、各サブキャリア毎に波形補正するための波形補正情報生成手段（３１）に選択的に切り替えることを特徴とする請求項３記載の変調誤差比測定装置。
【請求項５】
前記サブキャリア群が階層で構成されるデジタルＴＶ放送用のデジタル放送信号である請求項１〜４の何れか一つに記載の変調誤差比測定装置。
【請求項６】
前記サブキャリア群がセグメントで構成されるデジタル音声放送用のデジタル放送信号である請求項１〜４の何れか一つに記載の変調誤差比測定装置。
【発明の詳細な説明】
【０００１】
【発明の属する技術分野】
本発明は、デジタル放送信号を被測定信号として、その変調誤差比（ＭＥＲ）を測定する変調誤差比測定装置に関し、特に、デジタルＴＶ放送やデジタル音声放送に用いられ、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  総合デジタル地上波放送）システムで採用されるＢＳＴ−ＯＦＤＭ（Ｂａｎｄ  Ｓｅｇｍｅｎｔｅｄ  Ｔｒａｎｓｍｉｓｓｉｏｎ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ帯域セグメント化伝送−直交周波数分割多重）変調方式で変調されたデジタル放送信号の変調誤差比を測定する変調誤差比測定装置に関する。
【０００２】
【従来の技術】
近年、テレビジョン放送における地上波放送、衛星放送、ケーブル放送の各放送信号をデジタル化して、１つのチャネルに画像、音声のみならず、多数の付加情報を組み込んで送信して、ＴＶの視聴者に付加情報を選択させる計画が実験、及び一部実用化されている。
この出願の発明に関連する先行技術文献情報としては下記のものがある。
【０００３】
【特許文献１】
特開２００２−１２４９３１号公報
【０００４】
このようなＩＳＤＢ−Ｔシステムで採用されるデジタル放送信号の信号品質を評価することは、視聴者に対して常時良好な画像を提供するために重要なことである。
【０００５】
放送信号の信号品質を定量的に表わす手法として、ＣＮ（デジタル）が一般的に採用されている。アナログ放送信号の各チャネルの周波数分布は、図１３（ａ）に示すように、画像信号のスペクトルＡと音声信号のスペクトルＢとが互いに離間している。この場合、このチャネルの周波数帯域内における雑音レベル（Ｎ）は簡単に測定できる。また、画像信号のスペクトルＡの信号レベル（Ｃ）も簡単に測定できる。よって、このアナログ放送信号のＣＮが簡単に求まる。
【０００６】
しかしながら、日本国におけるＩＳＤＢ−Ｔシステムで採用されているＢＳＴ−ＯＦＤＭ変調方式で変調されたデジタル放送信号においては、図１３（ｂ）に示すように、このチャネルの周波数帯域内に映像、音声、付加情報等の多数のスペクトルが平均的に分散するので、周波数帯域内一杯の台形スペクトルＣとなる。その結果、この周波数帯域内の雑音は台形スペクトルＣ内に埋没するので、この雑音レベル（Ｎ）を直接測定できない。
【０００７】
一般に、デジタル信号における搬送波（キャリア）と雑音（ノイズ）との比で示されるＣＮと、誤り率（ＢＥＲ）との関係は、図１４に示すように、誤り率−ＣＮ特性で示される。したがって、誤り率（ＢＥＲ）が測定できれば、このデジタル信号のＣＮは一義的に求まる筈である。
【０００８】
しかし、誤り率−ＣＮ特性における誤り率が小さい領域においては、正確なＣＮが求まらないので、誤り率測定器の測定値が例えば２×１０−４（誤り率−ＣＮ特性から対応するＣＮはＣＮ１）に一致するまで既知レベルの雑音を増加し、その時点に印加されている雑音に対応するＣＮ２を得る。したがって、求めるデジタル放送信号のＣＮは（ＣＮ１−ＣＮ２）となる。
【０００９】
ところで、上述したＩＳＤＢ−Ｔシステムでは、ＯＦＤＭセグメントと称する帯域幅約４３０ＫＨｚの狭帯域信号を複数組み合わせて狭帯域から広帯域までの放送電波が構成できる。そして、ＩＳＤＢ−Ｔシステムを採用したデジタルＴＶ放送に用いられるデジタル放送信号では、図１５に概略的に示すように、１３セグメントが１チャネルとして１放送事業者に割り当てられる。また、デジタルＴＶ放送のデジタル放送信号は、１チャネルが最大３階層（図１５の例では、１セグメントからなるＡ階層、６セグメントからなるＢ階層、６セグメントからなるＣ階層）を有している。なお、Ａ階層は１以上で構成され、Ａ階層のみで構成される場合も有る。そして、３つ階層（Ａ階層、Ｂ階層、Ｃ階層）のセグメントの合計が１３セグメントを越えない範囲でセグメント数が例えば放送事業者によって任意に設定できるようになっている。
【００１０】
従って、図１５に示すような周波数特性を有するデジタル放送信号の変調誤差比を測定する場合には、前記特許文献１に開示される変調誤差比測定装置にデジタル放送信号を被測定信号として入力し、規格で定められている最大３階層（Ａ，Ｂ，Ｃ）毎に被測定信号の変調誤差比を測定していた。
【００１１】
ここで、図１６は本件出願人が提案している前記特許文献１に開示された変調誤差比測定装置の概略構成図である。図１６に示す変調誤差比測定装置５１では、信号周波数設定部５２からの局部発振（ローカル）信号を用いて被測定信号ａの周波数を周波数変換部５３で中間周波数信号（ＩＦ信号）ｂに変換してＡ／Ｄ変換部５４へ送出している。Ａ／Ｄ変換部５４は、中間周波数信号ｂをデジタルの中間周波数信号に変換して直交復調部５５へ送出する。直交復調部５５は、デジタルの中間周波数信号を同相成分Ｉと直交成分Ｑとからなるベースバンド信号Ｉ、Ｑに直交復調して第１の周波数誤差測定部５６及び周波数誤差補正部５７へ送出する。第１の周波数誤差測定部５６は、ベースバンド信号Ｉ、Ｑに含まれる周波数誤差Δｆ１を検出して周波数誤差補正部５７及び表示部５８へ送出する。周波数誤差補正部５７は、周波数誤差Δｆ１及び後述する第２の周波数誤差測定部５９の周波数誤差Δｆ２を用いて、ベースバンド信号Ｉ、Ｑに含まれる周波数誤差を粗く補正してシンボルタイミング抽出部６０及びＯＦＤＭ復調部６１へ送出する。シンボルタイミング抽出部６０は、補正後のベースバンド信号Ｉ’、Ｑ’からＯＦＤＭシンボルタイミングを抽出してＯＦＤＭ復調部６１へ送出する。ＯＦＤＭ復調部６１は、ＯＦＤＭシンボルタイミングを用いて、周波数補正後のベースバンド信号Ｉ’、Ｑ’に高速フーリエ変換処理（ＦＦＴ）を実施し、被測定信号ａの指定された１つのチャネルに含まれる全てのサブキャリアを抽出して伝送路イコライザ６２、第２の周波数誤差補正部５９及び伝送路特性算出部６３へ送出する。第２の周波数誤差測定部５９は、サブキャリアのＳＰ（スカッタード・パイロット）、ＣＰ（コンティニュアル・パイロット）を用いて周波数補正後のベースバンド信号Ｉ’、Ｑ’の周波数誤差Δｆ２をさらに測定して周波数誤差補正部５７及び表示部５８へ送出する。伝送路特性算出部６３は、サブキャリアのＳＰ（スカッタード・パイロット）より、伝送路の周波数特性を推定し、この伝送路の周波数特性が各サブキャリア毎の該当伝送路を伝送される場合の位相、振幅に与える影響度（変化度）を算出して伝送路イコライザ６２へ送出する。伝送路イコライザ６２は、各サブキャリアに対して伝送路特性算出部６３から入力された各サブキャリア毎の影響度（変化度）の逆数を乗算して、各サブキャリアが伝送路を通過することに起因する特性変化を補償して区分け部６４へ送出する。区分け部６４は、階層合成構造設定部６５から設定された各階層及び特別サブキャリアの使用周波数領域に基づいて、１つのチャネルに含まれる各サブキャリアを、各階層及び特別サブキャリアの各サブキャリアに区分けして復調部６６へ送出する。復調部６６は、階層合成構造設定部６５から設定された各階層及び特別サブキャリアの変調方式に基づいて、各階層及び特別サブキャリアの各サブキャリアを、対応する変調方式で復調して測定コンスタレーション［Ｉｍ、Ｑｍ］を求めて推定部６７及び誤差算出部６８へ送出する。推定部６８は、各階層及び特別サブキャリア毎に、測定コンスタレーション［Ｉｍ、Ｑｍ］から理論的コンスタレーション［Ｉｓ、Ｑｓ］を推定して誤差算出部６８及びＭＥＲ（変調���差比）算出部６９へ送出する。誤差算出部６８は、測定コンスタレーション［Ｉｍ、Ｑｍ］と理論的コンスタレーション［Ｉｓ、Ｑｓ］との誤差分ΔＩ、ΔＱを算出してＭＥＲ（変調誤差比）算出部６９へ送出する。ＭＥＲ（変調誤差比）算出部６９は、各階層及び特別サブキャリア毎に、誤差分ΔＩ、ΔＱと、理論的コンスタレーションの各値Ｉｓ、ＱｓとのＲＭＳ電力比で示される変調誤差比（ＭＥＲ）を算出する。
【００１２】
ところで、上述した従来の構成の図１６に示す変調誤差比測定装置５１における伝送路特性算出部６３では、位相、振幅に与える影響度（変化度）として理想的な影響度（変化度）を算出して波形処理している。これにより、高精度な変調誤差比の測定を実現している。しかし、図１６に示す変調誤差比測定装置５１では、入力される被測定信号ａの周波数特性の変動による影響をキャンセルして測定を行うため、この周波数特性の変動を含めた変調誤差比の測定を行うことができなかった。例えば送信機の送信信号を被測定信号とした場合を例にとって説明する。通常、送信機からは周波数特性がフラットな理想的な信号が送信されるように設計されている。ところが、送信機の送信信号の周波数特性に変動が生じ、周波数にゆらぎが発生した場合、図１６の変調誤差比測定装置５１における伝送路特性算出部６３では、周波数のゆらぎによるリップルを全てキャンセルするように波形処理している。
【００１３】
【発明が解決しようとする課題】
このように、図１６に示す従来の変調誤差比測定装置５１では、被測定信号ａの周波数のゆらぎによるリップルを全てキャンセルするように波形処理されるので、通常の変調誤差比を測定する上では問題ないが、被測定信号の変調誤差比に周波数特性の変動を反映させたり、させなかったりして周波数特性の変動の有無に応じた変調誤差比の測定を行うことができなかった。このため、例えば被測定信号を送信機の送信信号とした場合、周波数特性の変動を含む送信機の性能テストやモニタを行えなかった。
【００１４】
そこで、本発明は上述した課題に鑑みてなされたものであって、周波数特性の変動の有無に応じた被測定信号の変調誤差比を測定できる変調誤差比測定装置を提供することを目的とする。
【００１５】
【課題を解決するための手段】
次に、上記の課題を解決するための手段を、実施の形態に対応する図面を参照して説明する。
請求項１記載の変調誤差比測定装置は、連続した所定数のサブキャリアを含む複数のサブキャリア群からなる被測定信号ａを中間周波数信号ｂに変換し、この中間周波数信号を直交復調したデジタルのベースバンド信号として出力する信号変換手段３と、
該信号変換手段から出力されたベースバンド信号からＯＦＤＭ変調のシンボルタイミングを抽出するシンボルタイミング抽出手段６と、
該シンボルタイミング抽出手段で抽出されたシンボルタイミングを用いて前記ベースバンド信号に対して、高速フーリエ変換処理することにより、前記被測定信号の全てのサブキャリアを抽出するＯＦＤＭ復調手段７と、
該ＯＦＤＭ復調手段で抽出された各サブキャリアの波形補正を行うためのそれぞれ異なる波形補正情報を生成する複数の波形補正情報生成手段３１と、
該複数の波形補正情報生成手段のうちの何れか一つを選択する選択手段３２と、
該選択手段により選択された波形補正情報生成手段からの波形補正情報に基づいて前記ＯＦＤＭ復調手段で抽出された各サブキャリアを波形補正する波形補正手段３３と、
該波形補正手段で補正された各サブキャリアをサブキャリア群毎に区分けする区分け手段９と、
該区分け手段により区分けされた前記サブキャリア群毎のサブキャリアを該当サブキャリア群の位相変調方式に対応する復調方式で復調して測定コンスタレーションを得る復調手段１０と、
該復調手段で復調された測定コンスタレーションから理論的コンスタレーションを推定する推定手段１１と、
前記復調された測定コンスタレーションと前記推定された理論的コンスタレーションとの誤差分を算出する誤差算出手段１２と、
該誤差算出手段で算出された各サブキャリア群のの各誤差分と該当サブキャリア群の理論的コンスタレーションとの電力比を算出し、各サブキャリア群毎に該電力比を変調誤差比として算出する変調誤差比算出手段１３とを備えたことを特徴とする。
なお、ここでの各サブキャリアの波形補正を行うための波形補正情報とは、補正をしない場合の情報を含むものとする。
【００１６】
請求項２記載の変調誤差比測定装置は、連続した所定数のサブキャリアを含む複数のサブキャリア群からなる被測定信号ａを中間周波数信号ｂに変換し、この中間周波数信号を直交復調したデジタルのベースバンド信号として出力する信号変換手段３と、
該信号変換手段から出力されたベースバンド信号からＯＦＤＭ変調のシンボルタイミングを抽出するシンボルタイミング抽出手段６と、
該シンボルタイミング抽出手段で抽出されたシンボルタイミングを用いて前記ベースバンド信号に対して、高速フーリエ変換処理することにより、前記被測定信号の全てのサブキャリアを抽出するＯＦＤＭ復調手段７と、
該ＯＦＤＭ復調手段で抽出された全てのサブキャリアを記憶する記憶手段３４と、
前記ＯＦＤＭ復調手段で抽出された各サブキャリアの波形補正を行うためのそれぞれ異なる波形補正情報を生成する複数の波形補正情報生成手段３１と、
該複数の波形補正情報生成手段のうちの何れか一つを選択する選択手段３２と、
該選択手段により選択された波形補正情報生成手段からの波形補正情報に基づいて前記記憶手段に記憶された各サブキャリアを波形補正する波形補正手段３３と、
該波形補正手段で補正された各サブキャリアをサブキャリア群毎に区分けする区分け手段９と、
該区分け手段により区分けされた前記サブキャリア群毎のサブキャリアを該当サブキャリア群の位相変調方式に対応する復調方式で復調して測定コンスタレーションを得る復調手段１０と、
該復調手段で復調された測定コンスタレーションから理論的コンスタレーションを推定する推定手段１１と、
前記復調された測定コンスタレーションと前記推定された理論的コンスタレーションとの誤差分を算出する誤差算出手段１２と、
該誤差算出手段で算出された各サブキャリア群のの各誤差分と該当サブキャリア群の理論的コンスタレーションとの電力比を算出し、各サブキャリア群毎に該電力比を変調誤差比として算出する変調誤差比算出手段１３とを備えたことを特徴とする。
なお、ここでの各サブキャリアの波形補正を行うための波形補正情報とは、補正をしない場合の情報を含むものとする。
【００１７】
請求項３記載の変調誤差比測定装置は、請求項１又は２記載の変調誤差比測定装置において、
前記複数の波形補正情報生成手段３１と、前記選択手段３２と、前記波形補正手段３３とを複数組備えたことを特徴とする。
【００１８】
請求項４記載の変調誤差比測定装置は、請求項３記載の変調誤差比測定装置において、
前記選択手段３２は、各サブキャリア毎に波形補正するための波形補正情報生成手段３１に選択的に切り替えることを特徴とする。
【００１９】
請求項５記載の変調誤差比測定装置は、請求項１〜４の何れか一つに記載の変調誤差比測定装置において、
前記サブキャリア群が階層で構成されるデジタルＴＶ放送用のデジタル放送信号であることを特徴とする。
【００２０】
請求項６記載の変調誤差比測定装置は、請求項１〜４の何れか一つに記載の変調誤差比測定装置において、
前記サブキャリア群がセグメントで構成されるデジタル音声放送用のデジタル放送信号であることを特徴とする。
【００２１】
【発明の実施の形態】
以下、本発明に係る変調誤差比測定装置の好適な実施の形態を図面を参照して詳細に説明する。
【００２２】
図１は本発明に係る変調誤差比測定装置の全体の概略構成を示すブロック図、図２は本発明に係る変調誤差比測定装置の波形処理部の第１実施の形態を示す図、図３は本発明に係る変調誤差比測定装置の波形処理部の第２実施の形態を示す図、図４は本発明に係る変調誤差比測定装置の波形処理部の第３実施の形態を示す図、図５は本発明に係る変調誤差比測定装置の波形処理部の第４実施の形態を示す図、図６は本発明に係る変調誤差比測定装置の波形処理部の第５実施の形態を示す図、図７は本発明に係る変調誤差比測定装置においてコンスタレーションの誤差分の求め方を示す図、図８乃至図１０は本発明に係る変調誤差比測定装置の表示部に表示される測定結果の例を示す図である。
【００２３】
図１に示すように、本実施の形態による変調誤差比測定装置１は、入出力操作部２、信号変換部３、周波数誤差測定部４、周波数誤差補正部５、シンボルタイミング抽出部６、ＯＦＤＭ復調部７、波形処理部８、区分け部９、復調部１０、推定部１１、誤差算出部１２、ＭＥＲ（変調誤差比）算出部１３を備えて構成される。
【００２４】
本例の変調誤差比測定装置１には、デジタル放送信号が被測定信号ａとして信号変換部３に入力される。この被測定信号ａは、デジタルＴＶ放送やデジタル音声放送に用いられるデジタル放送信号である。ここでは、デジタルＴＶ放送に用いられるデジタル放送信号を被測定信号ａとした例で説明する。デジタルＴＶ放送用のデジタル放送信号は、ＢＳＴ−ＯＦＤＭ変調された信号であり、例えば図１５に示す周波数特性を有する。図１５の例では、デジタルＴＶ放送に用いられるデジタル放送信号における１つのチャネルの例えば６ＭＨｚの周波数帯域のみを示している。図１５に示すデジタルＴＶ放送用のデジタル放送信号は、例えばＱＰＳＫ、ＤＱＰＳＫ、６４ＱＡＭなど変調方式が異なるＡ階層、Ｂ階層、Ｃ階層及び特別サブキャリアが６ＭＨｚの周波数帯域内に配置されている。各階層（Ａ階層、Ｂ階層、Ｃ階層）は、送信すべきデジタル情報で変調された複数のサブキャリアを含むサブキャリア群からなる。
【００２５】
なお、１つのチャネルの６ＭＨｚの周波数帯域内における特別サブキャリアの変調方式及び使用周波数帯域は固定であるが、その他の各階層の設置数、各使用周波数帯域、採用する変調方式は、各階層で伝送しようとする情報に応じて任意に設定変更可能である。
【００２６】
図１に示す変調誤差比測定装置１において、入出力操作部（ヒューマン・インターフェース）２は、操作部２１と表示部２２とで構成されている。操作部２１内には、信号周波数設定部２３と送信構造設定部２４とが含まれる。信号周波数設定部２３は、デジタルＴＶ放送で送信される各チャネルの搬送周波数を記憶している。この信号周波数設定部２３は、入力したデジタル放送信号のうち、表示部２２の表示画面に表示されるチャネル設定の項目に対し、操作者が指定したチャネルが設定されると、このチャネルの信号を中間周波数信号に変換するための局部発振（ローカル）信号を発振して、後述する信号変換部３の周波数変換部３ａへ送出する。
【００２７】
送信構造設定部２４は、操作者が例えばキーボード等を用いて試験対象の中間周波数信号に周波数変換された状態のデジタル放送信号における各階層（Ａ階層、Ｂ階層、Ｃ階層）や特別サブキャリアの使用周波数帯域や変調方式、さらには波形補正を行う指定周波数（特定周波数や周波数範囲）を設定している。送信構造設定部２４は、設定した各階層（Ａ階層、Ｂ階層、Ｃ階層）や特別サブキャリアの使用周波数帯域を区分け部９へ送出すると共に、各階層（Ａ階層、Ｂ階層、Ｃ階層）や特別サブキャリアの変調方式を復調部１０へ送出する。また、送信構造設定部２４は、設定された各階層や特別サブキャリアの使用周波数帯域及び変調方式の情報を周波数誤差測定部４及びＯＦＤＭ復調部７へ送出する。さらに、送信構造設定部２４は、設定された各階層や特別サブキャリアの使用周波数帯域及び変調方式の情報、指定周波数の情報を波形処理部８の各部へ送出する。
【００２８】
表示部２２は、例えば液晶表示器と表示制御回路で構成され、各種設定画面の他、変調誤差比測定装置１で測定された搬送波（キャリア）周波数の周波数誤差、各階層毎の変調誤差比（ＭＥＲ）、各階層毎の測定コンスタレーションを表示する。
【００２９】
信号変換部３は、周波数変換部３ａ、Ａ／Ｄ変換部３ｂ、直交復調部３ｃを備えて構成される。周波数変換部３ａは、信号周波数設定部２３から印加されている局部発振（ローカル）信号を用い、入力された被測定信号ａ（デジタル放送信号）の周波数を中間周波数に変換して中間周波数信号（ＩＦ信号）ｂとしてＡ／Ｄ変換器３ｂへ送出する。Ａ／Ｄ変換器３ｂは、入力された中間周波数信号ｂをデジタルの中間周波数信号に変換して直交復調部３ｃへ送出する。
【００３０】
直交復調部３ｃは、入力されたデジタルの中間周波数を同相成分Ｉと直交成分Ｑとからなるベースバンド信号Ｉ、Ｑに直交復調して、周波数誤差測定部４（４ａ）及び周波数誤差補正部５へ送出する。
【００３１】
周波数誤差測定部４は、第１の周波数誤差測定部４ａと第２の周波数誤差測定部４ｂを有する。第１の周波数誤差測定部４ａは、送信構造設定部２４からの設定情報（各階層の使用周波数帯域や変調方式）に基づき、ベースバンド信号Ｉ、Ｑに含まれる不要な周波数成分、すなわち周波数誤差Δｆ１を検出して、この周波数誤差Δｆ１を周波数誤差補正部５及び表示部２２へ送出する。
【００３２】
周波数誤差補正部５は、第１の周波数誤差測定部４ａからの周波数誤差Δｆ１及び後述する第２の周波数誤差測定部４ｂからの周波数誤差Δｆ２を用いて、直交復調部３ｃから入力されたベースバンド信号Ｉ、Ｑに含まれる周波数誤差を粗く補正する。そして、周波数誤差補正部５は、周波数補正後のベースバンド信号Ｉ’、Ｑ’をシンボルタイミング抽出部６及びＯＦＤＭ復調部７へ送出する。
【００３３】
シンボルタイミング抽出部６は、入力された周波数補正後のベースバンド信号Ｉ’、Ｑ’からガードインターバル関数を用いて、ＯＦＤＭシンボルタイミングを抽出してＯＦＤＭ復調部７へ印加する。
【００３４】
ＯＦＤＭ復調部７は、送信構造設定部２４からの設定情報（各階層の使用周波数帯域や変調方式）に基づき、シンボルタイミング抽出部６からのＯＦＤＭシンボルタイミングを用いて、入力された周波数補正後のベースバンド信号Ｉ’、Ｑ’に対して高速フーリエ変換処理（ＦＦＴ）を実施する。これにより、デジタル放送信号の指定されたチャネルに含まれるサブキャリア群の全てのサブキャリアを抽出して、第２の周波数誤差測定部４ｂ及び波形処理部８へ送出する。
【００３５】
第２の周波数誤差測定部４ｂは、送信構造設定部２４からの設定情報（各階層の使用周波数帯域や変調方式）に基づき、入力されたサブキャリアのＳＰ（スカッタード・パイロット）、ＣＰ（コンティニュアル・パイロット）を用いて周波数補正後のベースバンド信号Ｉ’、Ｑ’の周波数におけるさらに詳細な周波数誤差Δｆ２を測定する。そして、第２の周波数誤差測定部４ｂは、測定した周波数誤差Δｆ２を前述した周波数誤差補正部５へ送出する。従って、周波数誤差補正部５は、先に周波数補正したベースバンド信号Ｉ’、Ｑ’を再度周波数補正することになるので、ベースバンド信号Ｉ’、Ｑ’の周波数精度がさらに向上する。また、第２の周波数誤差測定部４ｂは、測定した詳細な周波数誤差Δｆ２を表示部２２へ送信する。
【００３６】
波形処理部８は、ＯＦＤＭ復調部７で復調された各サブキャリアに対し、送信構造設定部２４からの設定情報（指定周波数、各階層の使用周波数帯域や変調方式）に基づき、選択された波形補正情報により所定の波形処理を施している。以下、波形処理部８の各実施の形態について図２乃至図６を参照しながら説明する。
【００３７】
図２に示す第１実施の形態の波形処理部８（８Ａ）は、波形補正情報生成手段３１、選択手段３２、イコライザとしての波形補正手段３３を備えて構成される。
【００３８】
波形補正情報生成手段３１は、送信構造設定部２４からの設定情報（指定周波数、各階層の使用周波数帯域や変調方式）に基づき、ＯＦＤＭ復調部７からの各サブキャリアに対して波形補正を行うための波形補正情報（補正信号）を生成している。この波形補正情報生成手段３１は、各々異なる波形補正情報を生成するべく複数備えている。図２の例では、２つの波形補正情報生成手段３１Ａ，３１Ｂを備えている。そして、例えば波形補正情報生成手段３１Ａは、信号が指定周波数範囲内であれば振幅を可変する波形補正情報を生成している。また、波形補正情報生成手段３１Ｂは、信号が指定周波数範囲内であれば振幅を可変しない波形補正情報を生成している。
【００３９】
なお、各波形補正情報生成手段３１における波形補正情報は、上記のように指定周波数範囲内での振幅の可変の有無の他、指定周波数範囲内での位相の可変の有無、例えば特定周波数に対する振幅や位相がゆっくりとした変動であれば追従し、変動の期間が短ければ追従しないといったように指定周波数範囲内での振幅や位相の可変の程度をどこまで追従するか否かの情報として生成される。
【００４０】
選択手段３２は、送信構造設定部２４からの設定情報（指定周波数、各階層の使用周波数帯域や変調方式）に基づき、波形補正情報生成手段３１Ａ，３１Ｂの何れかに選択的に切り替え、選択された波形補正情報生成手段３１からの波形補正情報を波形補正手段３３に出力している。
【００４１】
波形補正手段３３は、送信構造設定部２４からの設定情報（指定周波数、各階層の使用周波数帯域や変調方式）に基づき、選択手段３２により選択された波形補正情報生成手段３１からの波形補正情報によりＯＦＤＭ復調部７で復調された各サブキャリアに対して波形補正を行っている。この波形補正手段３３により波形補正された各サブキャリアは、次の区分け部９へ入力される。
【００４２】
上記構成による波形処理部８Ａでは、選択手段３２により波形補正情報生成手段３１Ａが選択されると、信号が指定周波数範囲内であれば振幅を可変する波形補正情報を波形補正情報生成手段３１Ａが生成して波形補正手段３３に入力する。これにより、波形補正手段３３は、ＯＦＤＭ復調部７からの指定周波数範囲内の全てのサブキャリアの振幅を波形補正情報により補正して区分け部９に送出する。これに対し、選択手段３２により波形補正情報生成手段３１Ｂが選択されると、信号が指定周波数範囲内であれば振幅を可変しない波形補正情報を波形補正情報生成手段３１Ｂが生成して波形補正手段３３に入力する。これにより、波形補正手段３３は、ＯＦＤＭ復調部７からの指定周波数範囲内の全てのサブキャリアの振幅を補正せずにそのまま区分け部９に送出する。
なお、波形補正情報生成手段３１Ａで振幅及び位相の可変する波形補正情報を生成することもできる。
【００４３】
次に、第２実施の形態の波形処理部８（８Ｂ）は、波形補正情報生成手段３１、選択手段３２、波形補正手段３３を１ユニットとする構成を複数組備えている。図３の例では、波形補正情報生成手段３１、選択手段３２、波形補正手段３３を１ユニットとする構成を２組備えており、第１実施の形態の波形処理部８Ａを２組備えた構成に略相当する。
【００４４】
各組の波形補正情報生成手段３１は、送信構造設定部２４からの設定情報（指定周波数、各階層の使用周波数帯域や変調方式）に基づき、ＯＦＤＭ復調部７からの各サブキャリアに対して波形補正を行うための波形補正情報を生成している。この波形補正情報生成手段３１は、各々異なる波形補正情報を生成するべく各組毎に複数備えている。図３の例では、各組毎に２つずつ合計４つの波形補正情報生成手段３１Ａ，３１Ｂ，３１Ｃ，３１Ｄを備えている。そして、例えば波形補正情報生成手段３１Ａは、信号が指定周波数範囲内であれば振幅を可変する波形補正情報を生成している。波形補正情報生成手段３１Ｂは、信号が指定周波数範囲内であれば振幅を可変しない波形補正情報を生成している。波形補正情報生成手段３１Ｃは、信号が指定周波数範囲内であれば位相を可変する波形補正情報を生成している。波形補正情報生成手段３１Ｄは、信号が指定周波数範囲内であれば位相を可変しない波形補正情報を生成している。
【００４５】
なお、各波形補正情報生成手段３１における波形補正情報は、上記のように指定周波数範囲内での振幅や位相の可変の有無の他、例えば特定周波数に対する振幅や位相がゆっくりとした変動であれば追従し、変動の期間が短ければ追従しないといったように指定周波数範囲内での振幅や位相の可変の程度をどこまで追従するか否かの情報として生成される。
【００４６】
各組の選択手段３２（３２Ａ，３２Ｂ）は、送信構造設定部２４からの設定情報（指定周波数、各階層の使用周波数帯域や変調方式）に基づき、波形補正情報生成手段３１Ａ，３１Ｂの何れか又は３１Ｃ，３１Ｄの何れかに選択的に切り替え、選択された波形補正情報生成手段３１からの波形補正情報を波形補正手段３３に出力している。
【００４７】
各組の波形補正手段３３（３３Ａ，３３Ｂ）は、送信構造設定部２４からの設定情報（指定周波数、各階層の使用周波数帯域や変調方式）に基づき、選択手段３２により選択された波形補正情報生成手段３１からの波形補正情報によりＯＦＤＭ復調部７で復調された各サブキャリアに対して波形補正を行っている。この波形補正手段３３により波形補正された各サブキャリアは、次の区分け部９へ入力される。
【００４８】
上記構成による波形処理部８Ｂでは、選択手段３２Ａにより波形補正情報生成手段３１Ａが選択されると、信号が指定周波数範囲内であれば振幅を可変する波形補正情報を波形補正情報生成手段３１Ａが生成して波形補正手段３３Ａに入力する。これにより、波形補正手段３３Ａは、ＯＦＤＭ復調部７からの指定周波数範囲内の全てのサブキャリアの振幅を波形補正情報により補正して区分け部９に送出する。これに対し、選択手段３２Ａにより波形補正情報生成手段３１Ｂが選択されると、信号が指定周波数範囲内であれば振幅を可変しない波形補正情報を波形補正情報生成手段３１Ｂが生成して波形補正手段３３Ａに入力する。これにより、波形補正手段３３Ａは、ＯＦＤＭ復調部７からの指定周波数範囲内の全てのサブキャリアの振幅を補正せずにそのまま区分け部９に送出する。また同時に行われる動作として、選択手段３２Ｂにより波形補正情報生成手段３１Ｃが選択されると、信号が指定周波数範囲内であれば位相を可変する波形補正情報を波形補正情報生成手段３１Ｃが生成して波形補正手段３３Ｂに入力する。これにより、波形補正手段３３Ｂは、ＯＦＤＭ復調部７からの指定周波数範囲内の全てのサブキャリアの位相を波形補正情報により補正して区分け部９に送出する。これに対し、選択手段３２Ｂにより波形補正情報生成手段３１Ｄが選択されると、信号が指定周波数範囲内であれば位相を可変しない波形補正情報を波形補正情報生成手段３１Ｄが生成して波形補正手段３３Ｂに入力する。これにより、波形補正手段３３Ｂは、ＯＦＤＭ復調部７からの指定周波数範囲内の全てのサブキャリアの位相を補正せずにそのまま区分け部９に送出する。
【００４９】
本実施の形態では、波形補正手段３３Ａから送出される全てのサブキャリアと、波形補正手段３３Ｂから送出される全てのサブキャリアとを２系統の区分け部９、復調部１０、推定部１１、誤差算出部１２、ＭＥＲ（変調誤差比）算出部１３で処理するか、又は区分け部９で選択的に処理をする。
【００５０】
次に、第３実施の形態の波形処理部８（８Ｃ）は、図４に示すように、第１実施の形態の波形処理部８Ａの構成に加え、波形補正手段３３の前段に記憶手段３４を備えている。この記憶手段３４は、ＯＦＤＭ復調部７で復調された全てのサブキャリアを一時的に記憶している。
【００５１】
なお、記憶手段３４以外の構成は第１実施の形態の波形処理部８Ａと同一なので、その構成についての説明を省略する。
【００５２】
この波形処理部８Ｃでは、ＯＦＤＭ復調部７で復調された全てのサブキャリアが記憶手段３４に一時的に記憶される。そして、選択手段３２により波形補正情報生成手段３１Ａが選択されると、信号が指定周波数範囲内であれば振幅を可変する波形補正情報を波形補正情報生成手段３１Ａが生成して波形補正手段３３に入力する。これにより、波形補正手段３３は、記憶手段３４に記憶された指定周波数範囲内の全てのサブキャリアの振幅を波形補正情報により補正して区分け部９に送出する。これに対し、選択手段３２により波形補正情報生成手段３１Ｂが選択されると、信号が指定周波数範囲内であれば振幅を可変しない波形補正情報を波形補正情報生成手段３１Ｂが生成して波形補正手段３３に入力する。これにより、波形補正手段３３は、記憶手段３４に記憶された指定周波数範囲内の全てのサブキャリアの振幅を補正せずにそのまま区分け部９に送出する。
【００５３】
次に、第４実施の形態の波形処理部８（８Ｄ）は、図５に示すように、第２実施の形態の波形処理部８Ｂの構成に加え、波形補正手段３３の前段に記憶手段３４を備えている。この記憶手段３４は、ＯＦＤＭ復調部７で復調された全てのサブキャリアを一時的に記憶している。
【００５４】
なお、記憶手段３４以外の構成は第２実施の形態の波形処理部８Ｂと同一なので、その構成についての説明を省略する。
【００５５】
この波形処理部８Ｄでは、ＯＦＤＭ復調部７で復調された全てのサブキャリアが記憶手段３４に一時的に記憶される。そして、選択手段３２Ａにより波形補正情報生成手段３１Ａが選択されると、信号が指定周波数範囲内であれば振幅を可変する波形補正情報を波形補正情報生成手段３１Ａが生成して波形補正手段３３Ａに入力する。これにより、波形補正手段３３Ａは、記憶手段３４に記憶された指定周波数範囲内の全てのサブキャリアの振幅を補正して区分け部９に送出する。これに対し、選択手段３２Ａにより波形補正情報生成手段３１Ｂが選択されると、信号が指定周波数範囲内であれば振幅を可変しない波形補正情報を波形補正情報生成手段３１Ｂが生成して波形補正手段３３Ａに入力する。これにより、波形補正手段３３Ａは、記憶手段３４に記憶された指定周波数範囲内の全てのサブキャリアの振幅を補正せずにそのまま区分け部９に送出する。また同時に行われる動作として、選択手段３２Ｂにより波形補正情報生成手段３１Ｃが選択されると、信号が指定周波数範囲内であれば位相を可変する波形補正情報を波形補正情報生成手段３１Ｃが生成して波形補正手段３３Ｂに入力する。これにより、波形補正手段３３Ｂは、記憶手段３４に記憶された指定周波数範囲内の全てのサブキャリアの位相を補正して区分け部９に送出する。これに対し、選択手段３２Ｂにより波形補正情報生成手段３１Ｄが選択されると、信号が指定周波数範囲内であれば位相を可変しない波形補正情報を波形補正情報生成手段３１Ｄが生成して波形補正手段３３Ｂに入力する。これにより、波形補正手段３３Ｂは、記憶手段３４に記憶された指定周波数範囲内の全てのサブキャリアの位相を補正せずにそのまま区分け部９に送出する。
【００５６】
次に、第５実施の形態の波形処理部８（８Ｅ）は、図６に示すように、第１実施の形態の波形処理部８Ａと同様、波形補正情報生成手段３１、選択手段３２、波形補正手段３３を備えて構成される。
【００５７】
この波形処理部８Ｅでは、各サブキャリア毎に波形処理を行う波形補正情報生成手段３１が選択できる構成となっている。このため、選択手段３２は、送信構造設定部２４からの設定情報（指定周波数、各階層の使用周波数帯域や変調方式）に基づいて波形補正情報生成手段３１Ａ，３１Ｂの何れかを各サブキャリア毎に選択している。
【００５８】
上記構成による波形処理部８Ｅでは、選択手段３２により波形補正情報生成手段３１Ａが選択されると、信号が指定周波数で振幅を可変する波形補正情報を波形補正情報生成手段３１Ａが生成して波形補正手段３３に入力する。これにより、波形補正手段３３は、ＯＦＤＭ復調部７からの指定周波数のサブキャリアの振幅を補正して区分け部９に送出する。これに対し、選択手段３２により波形補正情報生成手段３１Ｂが選択されると、信号が指定周波数で振幅を可変しない波形補正情報を波形補正情報生成手段３１Ｂが生成して波形補正手段３３に入力する。これにより、波形補正手段３３は、ＯＦＤＭ復調部７からの指定周波数のサブキャリアの振幅を補正せずにそのまま区分け部９に送出する。
【００５９】
なお、図３乃至図５の例では、ＯＦＤＭ復調部７からの全てのサブキャリアに対して波形補正情報生成手段３１からの波形補正情報に基づく波形処理を行う構成としているが、図６の処理内容、すなわち各サブキャリア毎に波形処理する波形補正情報生成手段３１を選択手段３２が選択する構成としても良い。
【００６０】
また、図３乃至図６の例では、選択手段３２により選択される波形補正情報生成手段３１を２つとしたが、３つ以上の構成でも良い。
【００６１】
区分け部９は、送信構造設定部２４から設定された各階層及び特別サブキャリアの使用周波数領域に基づいて、波形処理部８から入力された被測定信号ａに含まれる各サブキャリアを、各階層及び特別サブキャリアの各サブキャリアに区分けして、復調部１０へ送出する。
【００６２】
復調部１０は、送信構造設定部２４から設定された各階層及び特別サブキャリアの変調周波数に基づいて、各階層及び特別サブキャリアの各サブキャリアを、それぞれ対応する復調方式で復調して、図７に示すように、Ｉ、Ｑ座標上における位置Ｐｍを示す測定コンスタレーション［Ｉｍ、Ｑｍ］を求めて推定部１１及び誤差算出部１２へ送出する。
【００６３】
推定部１１は、各階層及び特別サブキャリア毎に、測定コンスタレーション［Ｉｍ、Ｑｍ］から、該当サブキャリアに対応する変調方式のＩ、Ｑ座標上における理論的位置Ｐｓ（Ｉｓ、Ｑｓ）を示す理論的コンスタレーション［Ｉｓ、Ｑｓ］を推定して、誤差算出部１２及びＭＥＲ（変調誤差比）算出部１３へ送出する。
【００６４】
誤差算出部１２は、測定コンスタレーション［Ｉｍ、Ｑｍ］と理論的コンスタレーション［Ｉｓ、Ｑｓ］との誤差分ΔＩ＝Ｉｍ−Ｉｓ、ΔＱ＝Ｑｍ−Ｑｓを算出して、ＭＥＲ（変調誤差比）算出部１３へ送出する。
【００６５】
ＭＥＲ（変調誤差比）算出部１３は、各階層及び特別サブキャリア毎に、誤差分ΔＩ、ΔＱと、理論的コンスタレーションの各値Ｉｓ、Ｑｓとの比で示される変調誤差比（ＭＥＲ）を下記式（１）で算出する。
【００６６】
【数１】
2004343630.tif 000003
【００６７】
式（１）において、分子は搬送波（キャリア）の電力であり、分母は雑音の電力となる。
【００６８】
ＭＥＲ（変調誤差比）算出部１３は、各階層及び特別サブキャリアの変調誤差比（ＭＥＲ）を算出するとともに、各階層及び特別サブキャリアの平均の変調誤差比（ＭＥＲ）を算出する。ＭＥＲ（変調誤差比）算出部１３は、算出した各階層及び特別サブキャリアの変調誤差比（ＭＥＲ）、及び平均の変調誤差比（ＭＥＲ）、各階層の測定コンスタレーション［Ｉｍ、Ｑｍ］を入力操作部の表示部２２へ送出する。
【００６９】
入力操作部の表示部２２の表示制御回路は、各周波数誤差測定部４（４ａ，４ｂ）から入力された各周波数誤差Δｆ１、Δｆ２、各階層及び特別サブキャリアの変調誤差比（ＭＥＲ）、及び平均の変調誤差比（ＭＥＲ）、各階層の測定コンスタレーション［Ｉｍ、Ｑｍ］を編集して、表示部２２の表示画面に所定の表示フォーマットで表示する。
【００７０】
図８は本例の変調誤差比測定装置により被測定信号ａの測定を行った際の測定コンスタレーション［Ｉｍ、Ｑｍ］を除く全体の測定結果の表示例を示している。この全体の測定結果を示す表示画面２２ａには、測定された搬送周波数、基準周波数、各周波数誤差Δｆ１、Δｆ２から求めた周波数誤差、階層毎（例えば一つの放送番組に相当）の変調誤差比（ＭＥＲ）等が表示される。
【００７１】
図９は本例の変調誤差比測定装置においてＯＦＤＭ復調部７で復調されたサブキャリアの波形補正を行う波形補正情報の周波数スペクトラムの表示例を示している。第１実施の形態の波形処理部８Ａを採用した場合には、図９に示すように、波形補正情報生成手段３１Ａの波形補正情報の周波数スペクトラム（例えば理想的な波形補正を行うスペクトラム）と、波形補正情報生成手段３１Ｂの波形補正情報の周波数スペクトラム（例えば理想的な周波数特性を直線補間したスペクトラム）とが表示部２２の表示画面２２ａ上に並んで表示される。
【００７２】
図１０は図８の全体の測定結果から１つの階層の測定コンスタレーションの測定結果を抽出したときの表示例を示している。図１０の例では、選択された１つの階層について、波形補正情報生成手段３１Ａが選択されたときの測定コンスタレーションと、波形補正情報生成手段３１Ｂが選択されたときの測定がコンスタレーションとが表示部２２の表示画面２２ａ上に並んで表示される。
【００７３】
なお、図８乃至図１０に示す表示は、表示領域に応じて任意に組み合わせることも可能である。例えば図８に示す全体の測定結果の表示と、図９に示す波形補正情報の周波数スペクトラムの表示を一画面上で行うこともできる。
【００７４】
また、図１０に示す１つの階層における測定コンスタレーションの表示は、複数表示することも可能である。加えて、波形補正情報生成手段３１Ａが選択されたときの測定コンスタレーションと、波形補正情報生成手段３１Ｂが選択されたときの測定がコンスタレーションとを１つの画面内に色分けして表示するようにしても良い。
【００７５】
このように構成された変調誤差比測定装置１において、変調誤差比（ＭＥＲ）の測定対象となるデジタル放送信号（被測定信号ａ）は、図１５に示すように、所定の周波数帯域（１チャネル最大５．６ＭＨｚ）内に周波数分割され、音声や付加情報等を含む変調方式（ＤＱＰＳＫ、ＱＰＳＫ、６４ＱＡＭ）が異なる複数の階層と特別サブキャリアを配置し、これらの階層をＢＳＴ−ＯＦＤＭ変調した信号である。
【００７６】
従って、これらの階層と特別サブキャリアとをＢＳＴ−ＯＦＤＭ変調したデジタル放送信号は、ＯＦＤＭ復調部７でＯＦＤＭ復調して得られる各サブキャリアを元の各階層と特別サブキャリアに区分可能となる。その結果、区分け部９において各階層と特別サブキャリアのサブキャリアが指定される。
【００７７】
そこで、復調部１０で各階層毎のサブキャリアを各階層毎に指定された変調方式（復調方式）で復調すれば、各階層毎の測定コンタレーション［Ｉｍ、Ｑｍ］が得られる。そして、ＭＥＲ（変調誤差比）算出部１３において、各階層毎（１放送番組に相当）の変調誤差比（ＭＥＲ）が得られる。
【００７８】
そして、本例の変調誤差比測定装置１では、図２乃至図６に示す波形処理部８（８Ａ〜８Ｅの何れか）を備えた構成により、必要に応じて被測定信号ａの波形補正を行い、被測定信号ａの周波数特性の変動の有無に応じた変調誤差比（ＭＥＲ）を測定できる。例えば被測定信号ａの周波数特性がフラットでない場合、波形処理部８の波形補正情報生成手段３１を選択手段３２により選択的に切り替えて測定を行えば、異なる波形補正情報によりサブキャリアを波形補正したときに得られる変調誤差比の差として現われる。
【００７９】
このように、本例の変調誤差比測定装置１では、被測定信号ａから測定される変調誤差比（ＭＥＲ）に周波数特性の変動を反映させたり、させなかったりして測定することができる。これにより、例えば被測定信号ａを送信機の送信信号とした場合、周波数特性の変動を含む送信機の性能テストやモニタを行うことができる。また、通常は理想的な波形補正がなされるように波形処理し、測定した変調誤差比（ＭＥＲ）に異常があった際に、波形補正情報を変えて測定することにより、測定される被測定信号の周波数特性による影響の度合いを知ることができる。
【００８０】
そして、本例では、採用する波形処理部８によって以下に示す効果を奏する。図３の波形処理部８Ｂや図５の波形処理部８Ｄを採用すれば、ＯＦＤＭ復調部７で復調されたサブキャリアに対し、異なる波形補正情報により同時に波形処理することができる。これにより、異なる複数の波形補正情報に基づく測定結果により多角的に被測定信号の分析を行うことができる。
【００８１】
図４の波形処理部８Ｃや図５の波形処理部８Ｄを採用すれば、ＯＦＤＭ復調部７で復調された全てのサブキャリアを記憶手段３４に記憶する構成なので、同じ信号に対して異なる波形補正情報で波形処理することができ、この波形処理されたものを区分け部９に選択的に出力することも可能になる。
【００８２】
図６の波形処理部８Ｅを採用すれば、指定周波数範囲内の全てのサブキャリアに限らず、各サブキャリア毎の波形処理が可能になる。
【００８３】
ところで、上述した実施の形態では、ＢＳＴ−ＯＦＤＭ変調されたデジタル放送信号の変調誤差比（ＭＥＲ）を測定して表示部２２に表示するようにしている。しかし、さらに、変調誤差比（ＭＥＲ）をＣＮに換算して、変調誤差比（ＭＥＲ）とＣＮとを同時に表示することも可能である。この場合、図１１に示す変調誤差比（ＭＥＲ）−ＣＮ特性を用いて換算する。
【００８４】
この図１１に示す特性は、同一のデジタル放送信号に対して雑音成分（Ｎ）を順次変化させて行った場合における、実施形態装置で測定された変調誤差比（ＭＥＲ）と、周知のＣＮ測定装置で測定されたＣＮとの対比を示す実験結果である。４０ｄＢ以下においては、変調誤差比（ＭＥＲ）はＣＮに対してほぼ１対１で対応していることが理解できる。さらに、４０ｄＢを超える変調誤差比（ＭＥＲ）も正確にＣＮに変換できる。このように、図１１の特性を用いて変調誤差比（ＭＥＲ）を簡単にＣＮに換算できる。
【００８５】
さらに、変調誤差比（ＭＥＲ）をＣＮに換算できると、送信機や中継機等の各種放送機器自体が有する雑音成分である残留ＣＮを測定することができる。そして、残留ＣＮが測定できれば、デジタル放送信号が送信機、中継機、ＴＴＬ等を通過することに起因する信号品質の劣化を事前に算出して把握することができる。
【００８６】
なお、変調誤差比（ＭＥＲ）等の信号品質の劣化を直接測定するためには、劣化測定対象の放送機器に印加するデジタル放送信号は十分に良好な変調誤差比（ＭＥＲ）を有する必要があるので、高品質なデジタル放送信号を発生できる信号発生装置を用いる必要がある。
【００８７】
ところで、上述した実施の形態では、被測定信号としてデジタルＴＶ放送に用いられるデジタル放送信号を被測定信号としたが、デジタル音声放送に用いられるデジタル放送信号を被測定信号としても同様の効果を奏する。この場合のデジタル音声放送に用いられるデジタル放送信号は、ＢＳＴ−ＯＦＤＭ変調されたデジタル音声信号であり、変調方式が異なる複数のセグメントが予め決められた周波数帯域（最大５．６ＭＨｚ）内に配置されている。デジタル音声放送では、図１２（ａ）に示すような帯域幅４３０ｋＨｚの信号からなる１セグメント、又は図１２（ｂ）に示すような帯域幅１．２９ＭＨｚの信号からなる３セグメントが１事業者に割り当てられる。この割り当てられた１又は３セグメントからなる単位送信波は、任意に組み合わせて連結可能とされている。また、セグメントの総数は、１３以下で任意数であり、配列も周波数帯域内に連続しているものに限らず途中にセグメントが無い状態も含む。
【００８８】
さらに説明すると、デジタル音声信号からなる被測定信号ａは、図１２（ｃ）に示すような周波数特性を有している。図１２（ｃ）の例では、連続して８つのセグメントが周波数帯域内に連結して配置されている。すなわち、図１２（ｃ）の例では、１セグメント／チャネルからなる５つの単位送信波と、３セグメント／チャネルからなる１つの単位送信波とが周波数帯域内で連結送信され、被測定信号ａとして本例の変調誤差比測定装置１に入力される。
【００８９】
従って、図１２（ｃ）に示す被測定信号ａの場合には、６放送事業者分の単位送信波が周波数帯域内で連結送信されて変調誤差比測定装置１に入力される。この被測定信号ａを構成する各セグメントは、複数のサブキャリアを含むサブキャリア群からなる。また、各セグメントには、該当セグメントのサブキャリアの変調方式及び使用周波数帯域の情報を有する特別サブキャリアも含まれている。
【００９０】
この被測定信号ａの周波数帯域内における特別サブキャリアの変調方式及び使用周波数帯域は固定であるが、その他の各セグメントの設置数（最大１３）、各使用周波数帯域、採用変調方式は、各単位送信波のセグメントで伝送しようとする情報に応じて任意に設定変更可能である。
【００９１】
そして、図１乃至図６の構成において、デジタルＴＶ放送のデジタル放送信号の階層をセグメントに置き換え、波形処理部８による同様の波形処理を行うことにより、異なる波形補正情報に基づいて測定した変調誤差比（ＭＥＲ）を得ることができる。
【００９２】
【発明の効果】
以上説明したように、本発明に係る変調誤差比測定装置によれば、必要に応じて被測定信号の波形補正を行い、被測定信号の周波数特性の変動の有無に応じた変調誤差比（ＭＥＲ）を測定できる。例えば被測定信号の周波数特性がフラットでない場合、波形処理部の波形補正情報生成手段を選択手段により選択的に切り替えて測定を行えば、異なる波形補正情報によりサブキャリアを波形補正したときに得られる変調誤差比の差として現われる。
【００９３】
そして、本例の変調誤差比測定装置では、被測定信号から測定される変調誤差比（ＭＥＲ）に周波数特性の変動を反映させたり、させなかったりして測定することができる。これにより、例えば被測定信号を送信機の送信信号とした場合、周波数特性の変動を含む送信機の性能テストやモニタを行うことができる。また、通常は理想的な波形補正がなされるように波形処理し、測定した変調誤差比（ＭＥＲ）に異常があった際に、波形補正情報を変えて測定することにより、測定される被測定信号の周波数特性による影響の度合いを知ることができる。
【００９４】
また、複数の波形補正情報生成手段と、選択手段と、波形補正手段とを複数組備えた構成とすれば、復調されたサブキャリアに対し、異なる波形補正情報により同時に波形処理することができる。これにより、異なる複数の波形補正情報に基づく測定結果により多角的に被測定信号の分析を行うことができる。
【００９５】
さらに、復調された全てのサブキャリアを記憶手段に記憶する構成とすれば、同じ信号に対して異なる波形補正情報で波形処理することができ、この波形処理されたものを区分け手段に選択的に出力することも可能になる。
【００９６】
また、サブキャリア毎に波形補正情報生成手段を選択的に切り替えれば、指定周波数範囲内の全てのサブキャリアに限らず、各サブキャリア毎の波形処理が可能になる。
【図面の簡単な説明】
【図１】本発明に係る変調誤差比測定装置の概略構成を示すブロック図である。
【図２】本発明に係る変調誤差比測定装置の波形処理部の第１実施の形態を示すブロック図である。
【図３】本発明に係る変調誤差比測定装置の波形処理部の第２実施の形態を示すブロック図である。
【図４】本発明に係る変調誤差比測定装置の波形処理部の第３実施の形態を示すブロック図である。
【図５】本発明に係る変調誤差比測定装置の波形処理部の第４実施の形態を示すブロック図である。
【図６】本発明に係る変調誤差比測定装置の波形処理部の第５実施の形態を示すブロック図である。
【図７】本発明に係る変調誤差比測定装置においてコンスタレーションの誤差分の求め方を示す図である。
【図８】本発明に係る変調誤差比測定装置の表示部に表示される測定結果の例を示す図である。
【図９】本発明に係る変調誤差比測定装置の表示部に表示される測定結果の例を示す図である。
【図１０】本発明に係る変調誤差比測定装置の表示部に表示される測定結果の例を示す図である。
【図１１】変調誤差比（ＭＥＲ）とＣＮとの関係を示す図である。
【図１２】（ａ）〜（ｃ）デジタル音声放送に用いられるデジタル放送信号の周波数特性の概略図である。
【図１３】（ａ）一般的なアナログ放送信号の周波数特性図である。（ｂ）デジタル放送信号の周波数特性図である。
【図１４】誤り率−ＣＮ特性を示す図である。
【図１５】デジタルＴＶ放送に用いられるデジタル放送信号の周波数特性の概略図である。
【図１６】従来の変調誤差比測定装置の概略構成を示す図である。
【符号の説明】
１…変調誤差比測定装置、２…入出力操作部、３…信号変換部、６…シンボルタイミング抽出部、７…ＯＦＤＭ復調部、８…波形処理部、９…区分け部、１０…復調部、１１…推定部、１２…誤差算出部、１３…ＭＥＲ（変調誤差比）算出部、３１（３１Ａ，３１Ｂ，３１Ｃ，３１Ｄ）…波形補正情報生成手段、３２…選択手段、３３…波形補正手段、３４…記憶手段、ａ…被測定信号、ｂ…中間周波数信号。
【図１】
2004343630.tif 000004
【図２】
2004343630.tif 000005
【図３】
2004343630.tif 000006
【図４】
2004343630.tif 000007
【図５】
2004343630.tif 000008
【図６】
2004343630.tif 000009
【図７】
2004343630.tif 000010
【図８】
2004343630.tif 000011
【図９】
2004343630.tif 000012
【図１０】
2004343630.tif 000013
【図１１】
2004343630.tif 000014
【図１２】
2004343630.tif 000015
【図１３】
2004343630.tif 000016
【図１４】
2004343630.tif 000017
【図１５】
2004343630.tif 000018
【図１６】
2004343630.tif 000019